(57)【要約】    【課題】  長い寝台面を確保しつつコンパクトに収納が可能な折畳みベッドを提供する。    【解決手段】  寝具を載置する第１の載置枠３Ａの一端側Ｓ１に第１の支脚部４Ａを設けた第１のベッド枠体５Ａと、寝具を載置する第２の載置枠３Ｂの一端側Ｓ１に第２の支脚部４Ｂを設けた第２のベッド枠体５Ｂとを有し、かつ第１の載置枠３Ａと第２の載置枠３Ｂとを、各載置枠３Ａ、３Ｂが水平に展開される展開状態と、各支脚部４Ａ、４Ｂが近づき各載置枠３Ａ、３Ｂを逆Ｖ字状に折り畳んだ垂直状態との間で折り畳み展開可能に連結した折畳みベッド１である。少なくとも第１の載置枠３Ａの一端側Ｓ１に、展開状態で水平に保持されることにより該第１の載置枠３Ａの前記一端側Ｓ１からはみ出す寝具を受ける補助枠１０が連結される。補助枠１０は、垂直状態において前記第１の載置枠３Ａに対して折れ曲がることができる。【選択図】  図１
2004243102.tif 000002
【特許請求の範囲】
【請求項１】
寝具を載置する第１の載置枠の一端側に第１の支脚部を設けた第１のベッド枠体と、
寝具を載置する第２の載置枠の一端側に第２の支脚部を設けた第２のベッド枠体とを有し、
かつ前記第１の載置枠と第２の載置枠との向き合う他端を、該第１、第２の載置枠が水平に展開される展開状態と、第１、２の支脚部が近づき前記第１、第２の載置枠を逆Ｖ字状に折り畳んだ垂直状態との間で折り畳み展開可能に連結した折畳みベッドであって、
少なくとも前記第１の載置枠の前記一端側に、前記展開状態で水平に保持されることにより該第１の載置枠の前記一端側からはみ出す寝具を受ける補助枠が連結されるとともに、
前記補助枠は、前記垂直状態において前記第１の載置枠に対して折れ曲がることを特徴とする折畳みベッド。
【請求項２】
前記補助枠は、前記展開状態から前記垂直状態への折り畳みとともに第１の載置枠に対してＶ字状に折れ曲がることを特徴とする請求項１記載の折畳みベッド。
【請求項３】
前記第１の支脚部は、前記垂直状態への折畳みに際して前記補助枠と当接し該補助枠を折り曲げる当接部を有することを特徴とする請求項１又は２に記載の折畳みベッド。
【請求項４】
前記第１の支脚部は、前記垂直状態への折畳みに際して前記補助枠と当接し該補助枠を折り曲げる当接部を有するとともに、該補助枠は前記展開状態で水平に保持されることを特徴とする請求項１記載の折畳みベッド。
【請求項５】
前記補助枠は、その上面が前記展開状態において第１の載置枠の上面と略同高さであることを特徴とする請求項１乃至４のいずれかに記載の折畳みベッド。
【請求項６】
前記第１のベッド枠体は、前記一端側に、展開状態において床面から浮き上がりかつ垂直状態で前記垂直状態で床面に接地し第１の載置枠を支える補助車輪を有するとともに、
前記展開状態において補助車輪の上部に補助枠を設けたことを特徴とする請求項１〜５のいずれかに記載の折畳みベッド。
【発明の詳細な説明】
【技術分野】
【０００１】
本発明は、長い寝台面を確保しつつコンパクトに収納が可能な折畳みベッドに関する。
【背景技術】
【０００２】
図２１には、従来の折畳みベッドａの展開状態の一例を示す。
【０００３】
該折畳みベッドａは、第１のベッド枠ｂ１と、第２のベッド枠ｂ２との向き合う他端側を、中間支脚部ｆを具備する継ぎ部材ｅにより回動自在に連結して構成されている。
【０００４】
前記第１のベッド枠体ｂ１は、寝具の略半分を載置しうる第１の載置枠ｃ１と、この第２の載置枠ｃ１の一端側に設けられた第１の支脚部ｄ１とを含む。同様に、第２のベッド枠体ｂ２は、寝具の他方の略半分を載置しうる第２の載置枠ｃ２と、この第２の載置枠ｃ２の一端側に設けられた第２の支脚部ｄ２とを含む。
【０００５】
各支脚部ｄ１、ｄ２は車輪ｋを具えた移動脚であり、第１、第２の支脚部ｄ１、ｄ２を近づける向きに折り畳むことによって、この折畳みベッドａは、図２２、図２３に示すように逆Ｖ字状に垂直状態まで折り畳みできる。
【発明の開示】
【発明が解決しようとする課題】
【０００６】
ところで、近年では、背の高いユーザーが増加している。またこのようなユーザに合わせて丈が大きいいわゆるロングサイズ（例えば標準丈を２００cmとするとき、２１０cm、２２０cmなど）の寝具（敷き布団等）が販売されている。しかしながら、図２１に示すように、ロングサイズの寝具ｍは、従来の標準的な折畳みベッドａで使用すると、一端側にはみ出すことが多々あり、ずれ落ちやすくなるなど見映え、使い勝手ともに悪い。そこで、前記第１ないし第２の載置枠ｃ１、ｃ２の丈方向の長さをそれぞれ大とし、ロングサイズの寝具ｍに対応させることも考えられる。しかし、この場合には、図２３に示す垂直状態に折り畳んだときに折畳み高さｈが大となる傾向があり、収納姿が大型化するなど収納性を低下させる欠点がある。
【０００７】
本発明は、以上のような問題点に鑑み案出なされたもので、少なくとも第１の載置枠の一端側に、展開状態で水平に保持されることにより該第１の載置枠の前記一端側からはみ出す寝具を受ける補助枠が連結されるとともに、この補助枠を、ベッドを折り畳んだ垂直状態において第１の載置枠に対して折れ曲がり可能とすることを基本として、長い寝台面を確保しつつも収納時には高さを減じて小型化が可能な折畳みベッドを提供することを目的としている。
【課題を解決するための手段】
【０００８】
本発明のうち請求項１記載の発明は、寝具を載置する第１の載置枠の一端側に第１の支脚部を設けた第１のベッド枠体と、寝具を載置する第２の載置枠の一端側に第２の支脚部を設けた第２のベッド枠体とを有し、かつ前記第１の載置枠と第２の載置枠との向き合う他端を、該第１、第２の載置枠が水平に展開される展開状態と、第１、２の支脚部が近づき前記第１、第２の載置枠を逆Ｖ字状に折り畳んだ垂直状態との間で折り畳み展開可能に連結した折畳みベッドであって、少なくとも前記第１の載置枠の前記一端側に、前記展開状態で水平に保持されることにより該第１の載置枠の前記一端側からはみ出す寝具を受ける補助枠が連結されるとともに、前記補助枠は、前記垂直状態において前記第１の載置枠に対して折れ曲がることを特徴とする折畳みベッドである。
【０００９】
また請求項２記載の発明は、前記補助枠は、前記展開状態から前記垂直状態への折り畳みとともに第１の載置枠に対してＶ字状に折れ曲がることを特徴とする請求項１記載の折畳みベッドである。
【００１０】
また請求項３記載の発明は、前記第１の支脚部は、前記垂直状態への折畳みに際して前記補助枠と当接し該補助枠を折り曲げる当接部を有することを特徴とする請求項１又は２に記載の折畳みベッドである。
【００１１】
また請求項４記載の発明は、前記第１の支脚部は、前記垂直状態への折畳みに際して前記補助枠と当接し該補助枠を折り曲げる当接部を有するとともに、該補助枠は前記展開状態で水平に保持されることを特徴とする請求項１記載の折畳みベッドである。
【００１２】
また請求項５記載の発明は、前記補助枠は、その上面が前記展開状態において第１の載置枠の上面と略同高さであることを特徴とする請求項１乃至４のいずれかに記載の折畳みベッドである。
【００１３】
また請求項６記載の発明は、前記第１のベッド枠体は、前記一端側に、展開状態において床面から浮き上がりかつ垂直状態で前記垂直状態で床面に接地し第１の載置枠を支える補助車輪を有するとともに、前記展開状態において補助車輪の上部に補助枠を設けたことを特徴とする請求項１〜５のいずれかに記載の折畳みベッド。
【発明の効果】
【００１４】
上述したように、本発明の折畳みベッドは、少なくとも第１の載置枠の一端側に、展開状態で水平に保持されることにより該第１の載置枠の前記一端側からはみ出す寝具を受ける補助枠が連結されているため、実質的に連続した長い寝台面を確保することができる。従って、身長の高いユーザが好適に使用でき、また長さが大きいいわゆるロングサイズの寝具を使用した場合でも、そのずれ落ちなどを防止して使い勝手を向上することができる。また補助枠は、垂直状態において前記第１の載置枠に対して折れ曲がることによって、収納高さを減じることができ、コンパクトな折り畳みを可能とする。
【００１５】
また請求項２記載の発明のように、補助枠は、展開状態から垂直状態への折り畳みとともに第１の載置枠に対してＶ字状に折れ曲がるときには、特段の操作を要することなしに補助枠を折り曲げてコンパクトに折り畳みしうる。よって、さらに利便性が向上する。また請求項３記載の発明のように、第１の支脚部が、垂直状態への折畳みに際して補助枠と当接し該補助枠を折り曲げることができる。しかも補助枠は、展開によって水平に展開されるときには、水平への折り曲げに特段の操作を要することなく、さらに使い勝手が向上する。
【００１６】
また請求項６記載の発明では、ベッドの美観を損ねやすい補助車輪の全部ないし主要部を、補助枠で覆うことによって目隠しすることができる。したがって、ベッドの美観を向上できる。
【発明を実施するための最良の形態】
【００１７】
以下本発明の実施の一形態を図面に基づき説明する。
【００１８】
図１は本実施形態の折畳みベッド（以下、単に「ベッド」ということがある。）１の展開状態の全体斜視図、図２はその平面図、図３は同底面図、図４は側面図をそれぞれ示している。
【００１９】
図において、本実施形態のベッド１は、寝具を載置しうる第１の載置枠３Ａの一端側Ｓ１に第１の支脚部４Ａを設けた第１のベッド枠体５Ａと、寝具を載置しうる第２の載置枠３Ｂの一端側Ｓ１に第２の支脚部４Ｂを設けた第２のベッド枠体５Ｂとを有している。前記第１の載置枠３Ａと第２の載置枠３Ｂとの向き合う他端側Ｓ２、Ｓ２は、前記各載置枠３Ａ、３Ｂが水平に展開される展開状態（図１〜４に示す。）と、各支脚部４Ａ、４Ｂが近づき各載置枠３Ａ、３Ｂが逆Ｖ字状に折り畳まれる垂直状態（図１３に示す。）との間で折り畳み展開可能に枢結されている。
【００２０】
本形態の第１、２の載置枠３Ａ、３Ｂは、例えばパイプ材を用いて略矩形状に形成された周囲枠２１と、この周囲枠２１の本例では中央部に固着されかつベッド中心線Ｘ方向にのびる下開放の溝型材からなる補強材２１ａと、周囲枠２１が囲む空所に本例ではすのこ状に隔置された木質材２２…とを含むものが例示される。本実施形態のベッド１は、図２に示す各載置枠３Ａ、３Ｂの丈の長さ（前記Ｘ方向の長さ）Ｌ１、Ｌ１が実質的に同じである。これにより、展開状態において、例えば丈寸法が２００cmのいわゆる標準サイズの寝具を載置可能な連続した寝台面を形成できる。
【００２１】
また周囲枠２１には、ベッド中心線Ｘを挟んで両側面をなす側枠部２１ｂの前記各一端側Ｓ１に、それぞれ第１、第２の支脚部４Ａ、４Ｂが枢着される。また本例では第２の載置枠３Ｂの周囲枠２１には、その一端側Ｓ１に位置する後枠部２１ｃに宮状枠２１ｄを立ち上げている。該ベッド１は、通常、この宮状枠２１ｄ側をユーザの頭部側として使用される。
【００２２】
第１、第２の支脚部４Ａ，４Ｂは、本例ではベッド中心線Ｘを挟んで両側に配されたＬ字状のＬ字枠２４と、ベッド幅方向にのびこの左右のＬ字枠２４を一体に連結する継ぎ材２３と、該継ぎ材２３に固着された補助脚２５とを含んで構成されたものを例示している。Ｌ字枠２４は、例えば垂直にのびる支柱部２４ａと、その下端で一端側Ｓ１に折れ曲がってのびかつ先端下面にキャスタ輪Ｃ１が設けられた延長部２４ｂとで構成される。また補助脚２５は、本例では継ぎ材２３の長さのほぼ中間位置に固着されかつ他端側Ｓ２に向けて小長さで折れ曲るＬ字状の補助片２５ａと、その先端部に設けられた接地可能なキャスタ輪Ｃ２とを具えている。
【００２３】
またＬ字枠２４の各支柱部２４ａには、図５に示すように、取付金具２８が固着されている。該取付金具２８は、支柱部２４ａの外側面かつ上方に取り付く上の取付部２６と、内側面かつ下方に取り付く下の取付部２７とを含む。上の取付部２６と、周囲枠２１の左右の側枠部２１ｂの内周面とは、枢結ピンＰｓを用いて傾動可能に枢着される。また展開状態において、側枠部２１ｂの透孔４２と、支柱部２４ａの透孔４３とにピン４５を差し込むことによって、第１の載置枠３Ａと第１の支脚部４Ａとが傾動するのを防ぎ、該展開状態を拘束できる。また、下の取付部２７には、リンク片１９（後述）が連結される。
【００２４】
また図６に示すように、第１、２の載置枠３Ａ、３Ｂの前記他端側Ｓ２は、継ぎ部材８を介してピンＰ１、Ｐ２（図４に示す）にて枢結されている。本実施形態の継ぎ部材８は、側枠部２１ｂの向き合う端部である突出部２１ｆ、２１ｆを枢着する左右両側の連結金具２９、２９と、該連結金具２９，２９間を継ぐ結合板３０とを含む。なおこの結合板３０には、下方に垂下し展開状態にて床面に接地しうる中間支脚部７が固着されたものを例示している。
【００２５】
連結金具２９は、底片２９ａと、その両側で立ち上がる側片２９ｂ、２９ｂとを有する上解放の溝型状をなしている。底片２９ａは、その前端、後端を切り欠くことにより、側枠部２１ｂ、２１ｂを垂直に下に折り曲げるための切欠き部２９ａ１が形成される。また連結金具２９は、例えば下解放の溝型状のカバー３５によって上面が覆われることにより見栄えを向上し、かつ安全性を高める。なお図６では、突出部２１ｆを枢着するピンが図示省略されている。
【００２６】
中間支脚部７は、図１に示すように、両側に配された支柱部３２，３２と、この間を継ぐ脚台枠部３４とで構成されている。脚台枠部３４は、中央で上に凸で湾曲する隆起部３３を有する。本形態では、図６に示すように、中間支脚部７の支柱部３２の上部側に、取付金具３６が固着される。該取付金具３６は、本例では前後にのびる板状をなし、支柱部３２に溶着されている。取付金具３６には、支柱部３２の両側で開口する透孔３７ｂ、３７ｂが形成される。
【００２７】
第１のベッド枠５Ａ側において、透孔３７ｂには、第１のリンク片１９Ａの一端が連結される。また第１のリンク片１９Ａの他端は第１の支脚部４Ａに設けた下の取付部２７の透孔３７ａに連結される（図５）。同様に、第２のベッド枠５Ｂ側において、透孔３７ｂには、第２のリンク片１９Ｂの一端が連結され、その他端は第２の支脚部４Ｂの下の取付部２７の透孔３７ａに連結される。
【００２８】
これにより図７に模式的に示すように、第１のベッド枠５Ａにおいて、第１の支脚部４Ａと、第１の載置枠３Ａと、前記中間支脚部７と、第１のリンク片１９Ａとで平行クランク機構Ｋａが形成される。同様に、第２のベッド枠５Ｂにおいて、第２の支脚部４Ｂと、第２の載置枠３Ｂと、前記中間支脚部７と、第２のリンク片１９Ｂとで平行クランク機構Ｋｂが形成される。これにより、ベッド１は、中間支脚部７、支脚部４の支柱部２４ａの向きを垂直に保持しつつ展開状態から垂直状態まで折畳みできる。なお、第１、第２の載置枠３Ａ又は３Ｂの一方の載置枠にのみにこのような平行クランク機構を設けるものでも良い。
【００２９】
また本例のベッド１は、展開状態から垂直状態への折畳みを容易とする引き起こし手段９を具えている。引き起こし手段９は、種々の方法で実現でき、例えば前記平行クランク機構Ｋａ又はＫｂにおいて、中間支脚部７と第１の載置枠３Ａ（又は第２の載置枠３Ｂ）とのなす角度α（図４に示す）を減じる向きに付勢するバネ、ゴムなどの付勢手段により実現することができる。
【００３０】
本例の引き起し手段９は、第１の載置枠３Ａ及び第２の載置枠３Ｂに、中間支脚部７から前記一端側Ｓ１に離れた位置に設けられた滑車１１と、この滑車１１でガイドされる引張部材１２とで構成されたものが例示される。
【００３１】
前記滑車１１は、例えば図８（Ａ）に示すように、各載置枠３Ａ、３Ｂに設けられた補強材２１ａの下面に固定された軸受け金具４０で枢支されている。このため、滑車１１は、ベッド１の側面から視認され難い位置に設けられる。また引張部材１２は、図３、図４に示すように、本実施形態では、一端が中間支脚部７に取付けられかつ前記滑車１１に案内されるひも状体１３と、このひも状体１３を引っ張るコイルバネ（ゴム体など他の弾性材も利用できる）などの弾性材１４とからなる。ひも状体１３は、中間支脚部７の前記隆起部３３に一端が固定されかつ前記滑車１１の上面に巻掛される。ひも状体１３の他端には、本例ではコイルバネからなる弾性材１４を介して載置枠３の適所に固定される。
【００３２】
また本形態では、ひも状体１３は、図９に示すように、前記隆起部３３を貫通してその上下でナット止めされるアイボルト状の取付け金具１５で固定ボルト１６により固定される。またひも状体１３は、これ以外にも種々の方法により取り付けでき、かつ引張部材１２を第１，２の載置枠３Ａ、３Ｂに渡して設けるときは、取付金具１５の孔に通すのみで固着しなくても良い。また、ひも状体１３を、前記取付け金具１５の孔を通して１周巻きすることによって固定することもできる。
【００３３】
滑車１１は、ひも状体１３の一端を、隆起部３３に取付けることにより該ひも状体１３の垂直に対してなす角度θ（図４に示す）が、展開状態において、ベッド側面視で３０〜６０゜、好ましくは４０〜５５゜程度、本形態では約４５゜となるように位置決めされている。またひも状体１３は滑車１１を後方（該滑車１１が取り付く載置枠の支脚部側）に過ぎた位置で前記弾性材１４と結合される。またひも状体１３及び弾性材１４は図８（Ｂ）に示すように補強材２１ａの溝部内を通ることにより、外部からの目隠し、見映えを高めるのに役立つ。
【００３４】
このような引き起こし手段９は、ベッド１の折畳みが進むにつれて、垂直状態へ付勢する付勢力が増加するため、軽微な力で折り畳みできる点で特に好ましい。ただし、このような態様に限定されるものではない。また引き起こし手段９は、本例の第１、第２の載置枠３Ａ、３Ｂの双方に設ける場合の他、一方にのみ設けることもできる。また、第１、第２の載置枠３Ａ，３Ｂの一方のみが平行クランク機構をなす場合には、その機構を有する側に引き起こし手段９を配置するのが良い。
【００３５】
また本実施形態では、第１の載置枠３Ａの一端側Ｓ１に、補助枠１０が連結されている。本実施形態の補助枠１０は、第１の載置枠３Ａと略同幅をなしかつ丈方向の長さＬ２（図２に示す）が第１の載置枠３Ａの丈Ｌ１よりも小、例えば１０〜２０cmの丈寸法で形成される。
【００３６】
本例の補助枠１０は、図１、図２、図１０に示すように、略矩形状をなす外枠１０ａと、この外枠１０ａに固着された桟材１０ｂと、外枠１０ａの内部に配されたすのこ状の木質材１０ｃとを含む。これにより、その上面で寝具の一部を載置することができる。前記外枠１０ａは、本例では１本の中空のパイプ材を折り曲げて形成されたものを例示しており、その途切れ端Ｅ、Ｅは、第１の載置枠３Ａの後端枠２１ｃ側に位置させている。
【００３７】
また補助枠１０は、本例では連結部５０を介して第１の載置枠３Ａの後枠部２１ｃに連結されたものを示す。連結部５０は、図１０のＡ部拡大図である図１１及びそのＢ視図である図１２に示すように、第１の載置枠３Ａに本例ではネジ固着された平面視がＬ字状の支持金具５１を含む。該支持金具５１は、第１の載置枠３Ａの後枠部２１ｃに沿いかつネジ６０にて固着された取付片５１ａと、この取付片５１ａから補助枠１０側に向かって突出した支持片５１ｂとからなる。なおネジ６０は、例えば宮状枠２１ｄの取付用穴と兼用することもできる。この場合、補助枠１０の不要時には、これを宮状枠２１ｄに付け替え等することができる。
【００３８】
また、支持片５１ｂには透孔５２が形成されている。そして、補助枠１０の途切れ端Ｅ、Ｅは、支持金具５１の支持片５１ｂの外面に向き合うとともに、軸方向にのびるピン孔６３が設けられる。そして、支持片５１ｂの透孔５２から、差し込まれる段付き状の枢支ピン６４を外枠１０ａの途切れ端Ｅのネジ孔に螺着している。枢支ピン６４は、非ネジ部である段付き部６４ａと前記透孔５２とをすきまばめとする。このため、本例の補助枠１０は、第１の載置枠の一端側Ｓ１に回動自在に連結される。なお本例の枢支ピン６４の位置は、補助枠１０が水平状態のときに、該補助枠１０と第１の載置枠３Ａとが実質的に同高さとなるよう設定される。
【００３９】
またベッド１には、展開状態において補助枠１０を水平状態に保持するためのストッパ具６５が設けられる。本例のストッパ具６５は、補助枠１０の外枠１０ａに固着されたストッパピン６５ａと、展開状態においてこのストッパピン６５ａと当接しその移動を規制する規制具６５ｂとから構成されている。前記ストッパピン６５ａは、一端が補助枠１０（本例ではその外枠１０ａ）に固着されるとともに、ほぼ９０゜で折れ曲がりその他端が支持片５１ｂの上部へとのびるＬ字状の軸体が用いられる。また規制具６５ｂは、本例では、図１１、図１２に示すように、展開状態において補助枠１０が水平となる位置でストッパピン６５ａと当接しうるように切り欠かれた支持片５１ｂの上縁で構成される。このため、展開状態では、補助枠１０は自重と、ストッパ具６５とによって水平状態が保持される。
【００４０】
このような補助枠１０は、図１ないし３に示すように、展開状態で第１の載置枠３Ａと略同高さで水平に保持され、第１、第２の載置枠と補助枠１０とで従来よりも長い実質的に連続した寝台面を形成できる。このため、図４に示すように、いわゆるロングサイズの寝具ｍ（例えば敷布団）などを使用した場合でも、第１の載置枠３Ａの一端側Ｓ１からはみ出す部分をこの補助枠１０に載置することができる。従って、寝具ｍのずれ落ちなどを防ぎ、見映えと使い勝手とを向上しうる。このような観点より、好ましくは補助枠１０の丈方向の長さは１０cm以上であることが望ましい。
【００４１】
また補助枠１０は、本例では第１の載置枠３Ａと回動自在に連結されているため、図１３に示すように、垂直状態において第１の載置枠３Ａに対して折れ曲がることができる。特に好適には、ベッド１の展開状態から垂直状態への折り畳みとともに第１の載置枠３Ａに対して補助枠１０をＶ字状に折り曲げるものが好ましい。
【００４２】
例えば折り畳み動作に際して、図１３に仮想線で示すように、補助枠１０は、自重によって第１の載置枠３Ａと整一した状態で垂直状態へと近づいていく。そして、折畳みが進むと、本例では補助枠１０の一端側が第１の支脚部４Ａの延長部２４ｂと当接する。そして、さらに折畳みを進めると、枢支ピン６４を支点として補助枠１０が第１の載置枠３Ａに対して折り曲げられ、延長部２４Ｂの上に位置しうる。このように、本実施形態では、第１の支脚部４ＡのＬ字枠２４の延長部２４ｂが、補助枠１０を折り曲げる役割を果たす当接部５５となる。なおこの際、連結部５０は、第１の支脚部４ＡのＬ字枠２４、２４よりもベッド中心線Ｘ側に設けられているため折畳み時に干渉しない。
【００４３】
このように、折畳みに際して、補助枠１０は当接部５５に当接しながら折り曲げられ、本例では垂直状態で第１の支脚部４Ａの延長部２４ｂからはみ出すことがない。従って、折畳み高さ等の増加を防いでコンパクトに折畳むことができるため、収納性が良い。また、特段の操作を要することなく、折畳み動作によって補助枠１０を折り曲げることができるため、使い勝手も良い。
【００４４】
また、ベッド１を垂直状態から展開状態へと展開する際では、補助枠１０は、第１の支脚部４Ａの当接部５５から離間すると、自らの重量によって枢支ピン６４の回りで回動でき、展開状態では再び水平に保持される。このように、補助枠１０を水平とする際にも特段の操作を要することがないため、さらに使い勝手が向上する。
【００４５】
なお上記実施形態では、補助枠１０は、第１の載置枠３Ａだけに設けたものを例示するが、第２の載置枠３Ｂにも設けても良い。また例えば補助枠１０を、常に水平状態となる向きに付勢するバネ手段を設けることもできる。
【００４６】
図１４には、本発明の他の実施形態を示す。
【００４７】
本実施形態のベッド１では、第１、２の載置枠３Ａ、３Ｂが、略矩形状に形成された前記周囲枠２１と、この周囲枠２１に一体に固着されたマットレス７０とを含んで構成されたものが例示される。周囲枠２１は、前記実施形態とほぼ同様の構成を有し、該周囲枠２１が囲む空間には例えば格子状のネット材７１などが配設され、その上で前記マットレス７０が支持されている。
【００４８】
本形態の補助枠１０は、図１５、図１６に拡大して示すように、前記第１の載置枠３Ａと略同巾でかつ小長さの板状をなし、本例ではこれを木質材により形成したものが示される。補助枠１０は、前記実施形態と同様に、連結部５０を介して第１の載置枠３Ａの後枠部２１ｃに連結される。本形態の連結部５０は前記後枠部２１ｃに固着された支持ブラケット７３と、該支持ブラケット７３に傾動可能に枢着されかつ前記補助枠１０が固着される傾動アーム７４とを含んでいる。
【００４９】
支持ブラケット７３は、本例では後枠部２１ｃからほぼ垂直に小高さで立上がるパイプ材からなり、下端側に設けた孔部７５を、後枠部２１ｃに設けた取付孔７６に例えばボルト７７等のねじ手段により一体に固着される。従って、補助枠１０の不要時には、これを容易に取り外しでき、使い勝手をさらに高めるのに役立つ。ただし、取付は、ねじ手段に限定されるものではなく、支持ブラケット７３を溶接等により脱着不能に第１の載置枠３Ａに固着しても良いのは言うまでもない。
【００５０】
また支持ブラケット７３の上端部側には、傾動アーム７４を枢結するための枢結孔７９が設けられる。枢結孔７９の軸中心線は、ベッドの巾方向に平行である。また支持ブラケット７３の上端部の輪郭は、前記枢結孔７９の軸中心を中心とした円弧面７３ａで形成されたものが示される。
【００５１】
前記傾動アーム７４は、本例では図１５に示すように、断面略コ字状をなし、その一端部には連結孔８０を有する左右の張り出し片８２、８２が設けられている。この張り出し片８２、８２は、支持ブラケット７３の上端部を挟んで両側に配されるとともに、連結孔８０と支持ブラケット７３の前記枢結孔７９とは、枢軸８１を用いて傾動可能に連結される。また傾動アーム７４には、ネジ８３を用いて補助枠１０が固着される。
【００５２】
また傾動アーム７４には、ベッド１の展開状態において補助枠１０が水平状態となるときに、前記支持ブラケット７３に当接し、前記水平状態を保持する当片８５が設けられる。このように、本形態では、当片８５と支持ブラケット７３の後面とで前記ストッパ具６５が形成される。これにより、補助枠１０を水平に保持できる。なお本形態では、ベッドの巾方向両側に設けた傾動アーム７４、７４は継ぎ材８７によって連結されることにより剛性が高められている。
【００５３】
このような補助枠１０は、図１６において実線で示すように、展開状態で第１の載置枠３Ａの上面（即ちマットレス７０の上面）と略同高さで水平に保持でき、第１、第２の載置枠３Ａ、３Ｂ及び補助枠１０の各上面で従来よりも長い実質的に連続した寝台面を形成できる。また、この形態においても、垂直状態にベッド１を折り畳んだ際には、図１３及び図１６に仮想線で示すように、マットレス７０側へと跳ね上げて折畳みでき、コンパクトに収納できる。この折畳みに際して、傾動アーム７４の当片８５は、支持ブラケット７３の前記円弧面７３ａに沿って移動するため、円滑な折り畳みを可能とする。
【００５４】
図１７〜図２１は、本発明のさらに他の実施形態を示している。
【００５５】
この実施形態のベッド１は、第１の載置枠３Ａの一端側に第１の支脚部４Ａを設けた第１のベッド枠体５Ａと、第２の載置枠３Ｂの一端側に逆Ｔ字状の第２の支脚部４Ｂを設けた第２のベッド枠体５Ｂとを含んでいる。第１、第２の載置枠３Ａ、３Ｂは前記実施形態とほぼ同様である。
【００５６】
前記第１の支脚部４Ａは、第１の載置枠３Ａに一体に固着されかつ手摺り部９０から滑らかな円弧で下方に折れ曲がるアーム体９１と、その先端部に設けられた一つのキャスター輪からなる第１の車輪９２とを有する。この形態の第１の支脚部４Ａは、アーム体９１が第１の載置枠３Ａに一体に固着されているため、ベッド１の展開ないし折畳みに際しては第１の載置枠３Ａに対して回転できずに一体に移動する。
【００５７】
また第２の支脚部４Ｂは、逆Ｔ字状をなす脚フレーム９４に、ベッド長さ方向に距離を隔てて設けられた２個のキャスター輪９５、９５が設けられている。脚フレーム体９４は、ピンＰｓ２にて第２の載置枠３Ｂに対して相対回動可能に固着されている。従って、第２の脚部材４Ｂは、ベッド１の展開ないし折畳みに際しては第２の載置枠３Ｂに対して回転できる。従って、図１８，図１９に示すように、ベッド１は垂直状態へと折りたたまれる。
【００５８】
補助枠１０は、前記実施形態と同様に、連結部５０を介して第１の載置枠３Ａの後枠部２１ｃに取り付けられている。本形態の連結部５０は、前記後枠部２１ｃに固着された左右の支持ブラケット７３と、該支持ブラケット７３に傾動可能に枢着されかつ前記補助枠１０が固着された傾動アーム７４とを含む。
【００５９】
支持ブラケット７３は、本例では水平部７３ａと垂直部７３ｂとを一体に有するＬ字状のパイプ材からなり、水平部７３ａの一端部が前記後枠部２１ｃに固着されている。また支持ブラケット７３の垂直部７３ｂの上端部には、傾動アーム７４の一端が回動自在に固着される。傾動アーム７４の他端部には継ぎ枠９９を介して前記補助枠１０が固着されている。傾動アーム７４は、前記実施形態と同様、下部を解放した断面コ字状であり、前記ストッパ具６５（詳細図示せず）等によって図１７に示す水平状態が保持される（つまり、補助枠１０はそれよりも下方には回動しない。）。また図２０に示すように、補助枠１０は本例では上向きに跳ね上げて折畳みできる。従って、ベッド１は、収納時に小型化できる。
【００６０】
また本実施形態のベッド１は、図１９に示すように垂直状態では、第１の支脚部４Ａに設けられた第１の車輪９２は床面から浮き上がる。このため、第１のベッド枠体５Ａは、垂直状態で床面に接地し第１の載置枠３Ａを支える補助車輪１００が設けられている。補助車輪１００は、折畳みを円滑とし、また垂直状態でベッド１を床面Ｆに沿って安定性良く走行させるのに役立つ。
【００６１】
本実施形態の補助車輪１００は、第１のベッド枠５Ａの一端側Ｓ１に設けられる。具体的には、図２０に示すように、一対の支持ブラケット７３、７３間に架設された継ぎ材１０２に支持棒１０１を介して固着されている。この補助車輪１００は、外部から視認されると、ベッドの美観を損ねがちとなる。しかし、本実施形態のベッド１では、展開状態において補助車輪１００の上部に補助枠１０が設けられている。これにより、補助車輪１００の全部ないし主要部、本例では平面視において補助車輪１００の全部を補助枠１０で覆うことができる。これにより、補助車輪１００の外部からの視認しずらくし、ベッドの美観を向上できる。
【００６２】
以上、本発明の実施形態について詳述したが、本発明は上記の具体的な実施形態に限定されるものではなく、本発明の要旨を逸脱しない範囲で種々変更しうるのは言うまでもない。例えば補助枠１０は、その上面にクッション材などが配されていても良い。
【図面の簡単な説明】
【００６３】
【図１】本発明の実施形態を示す折畳みベッドの展開状態の斜視図である。
【図２】その平面図である。
【図３】その底面図である。
【図４】その側面図である。
【図５】第１の支脚部の部分拡大斜視図である。
【図６】中間支脚部の部分拡大斜視図である。
【図７】本実施形態の折畳みベッドの模式図である。
【図８】（Ａ）、（Ｂ）は補強材の断面図である。
【図９】引き起こし手段の取付金具を説明する側面図である。
【図１０】図２の部分拡大平面図である。
【図１１】図１０のＡ部拡大図である。
【図１２】図１１のＢ視図である。
【図１３】本実施形態の折畳みベッドの垂直状態を示す側面図である。
【図１４】他の実施形態を示すベッドの全体斜視図である。
【図１５】その補助枠付近の拡大斜視図である。
【図１６】その断面図である。
【図１７】本発明の他の実施形態を示す折畳みベッドの展開状態を示す側面図である。
【図１８】その折畳み途中の側面図である。
【図１９】その垂直状態の側面図である。
【図２０】補助枠近傍の拡大斜視図である。
【図２１】従来の折畳みベッドの展開状態を示す側面図である。
【図２２】その折畳み途中の側面図である。
【図２３】従来の折畳みベッドの垂直状態を示す側面図である。
【符号の説明】
【００６４】
１  折畳みベッド
２Ａ、２Ｂ  寝具
３  載置枠
３Ａ  第１の載置枠
３Ｂ  第２の載置枠
４  支脚部
４Ａ  第１の支脚部
４Ｂ  第２の支脚部
５Ａ  第１のベッド枠体
５Ｂ  第２のベッド枠体
７  中間支脚部
８  継ぎ部材
９  引き起こし手段
１０  補助枠
５５  当接部
９２  第１の車輪
１００  補助車輪
【図１】
2004243102.tif 000003
【図２】
2004243102.tif 000004
【図３】
2004243102.tif 000005
【図４】
2004243102.tif 000006
【図５】
2004243102.tif 000007
【図６】
2004243102.tif 000008
【図７】
2004243102.tif 000009
【図８】
2004243102.tif 000010
【図９】
2004243102.tif 000011
【図１０】
2004243102.tif 000012
【図１１】
2004243102.tif 000013
【図１２】
2004243102.tif 000014
【図１３】
2004243102.tif 000015
【図１４】
2004243102.tif 000016
【図１５】
2004243102.tif 000017
【図１６】
2004243102.tif 000018
【図１７】
2004243102.tif 000019
【図１８】
2004243102.tif 000020
【図１９】
2004243102.tif 000021
【図２０】
2004243102.tif 000022
【図２１】
2004243102.tif 000023
【図２２】
2004243102.tif 000024
【図２３】
2004243102.tif 000025